(57)【要約】【課題】取引中に結束帯を交換可能であり、従来よりも使い勝手をよくすることができる。【解決手段】取引単位で媒体を分類および計数する媒体整理装置であって、複数の媒体を結束帯Ｐで結束して媒体束を作成する結束手段１４と、結束帯Ｐの交換指示を検出する入力制御手段と、取引中において、前記入力制御手段により結束帯Ｐの交換指示を検出した場合に、結束帯Ｐの停止位置を結束帯Ｐの交換が可能な位置に制御する結束帯制御手段２０と、を備える。結束帯Ｐの交換指示は、例えば取引中であることを示す取引中画面に表示される交換指定領域を介して行われるのがよい。【選択図】図２
2018177230.tif 000002
【特許請求の範囲】
【請求項１】
取引単位で媒体を分類および計数する媒体整理装置であって、
複数の媒体を結束帯で結束して媒体束を作成する結束手段と、
前記結束帯の交換指示を検出する入力制御手段と、
取引中において、前記入力制御手段により前記結束帯の交換指示を検出した場合に、前記結束帯の停止位置を前記結束帯の交換が可能な位置に制御する結束帯制御手段と、を備える、
ことを特徴とする媒体整理装置。
【請求項２】
前記結束手段は、前記結束帯をロール状に巻いた状態で収容する結束帯収容部と、前記結束帯収容部から供給される前記結束帯を用いて結束を行う結束機構とを有し、
前記結束帯制御手段は、取引中においては前記結束帯を前記結束機構内に停止させておき、前記結束帯の交換指示を検出した場合に前記結束帯を巻き取ることで前記結束帯収容部内に停止させる、
ことを特徴とする請求項１に記載の媒体整理装置。
【請求項３】
取引中であることを示す取引中画面に結束帯の交換を指定するための交換指定領域を表示させる表示制御手段をさらに備え、
前記入力制御手段は、前記交換指定領域の選択を検出する、
ことを特徴とする請求項１または請求項２に記載の媒体整理装置。
【請求項４】
前記表示制御手段は、前記交換指定領域の選択が検出された場合に、前記結束帯の交換を確認するメッセージを前記取引中画面に表示させる、
ことを特徴とする請求項３に記載の媒体整理装置。
【発明の詳細な説明】
【技術分野】
【０００１】
本発明は、媒体整理装置に関する。
【背景技術】
【０００２】
金融機関の営業店、現金処理センタ、店舗等のバックヤードにおいて、媒体としての紙幣を整理して所定枚数単位（例えば１００枚単位）で施封する媒体整理装置が利用されている。
【０００３】
媒体整理装置では、例えば５つの一時集積部を備え、オペレータが施封する金種を指定して紙幣をセットすると、セットした紙幣を鑑別部に搬送して金種等の鑑別及び計数を行い、指定された金種紙幣を一時集積部に集積する。そして、紙幣が一定枚数集積されると、その紙幣を移送手段により施封部に移送し、この施封部により紙幣を結束帯（紙帯）で結束（施封）して紙幣束として放出する。
【０００４】
従来、結束帯を使い切ってしまった場合でも、装置の稼働を停止することなく結束帯を自動的に補給する技術が提案されている（特許文献１参照）。
また、媒体整理装置に関して、媒体を高い品質で結束できる技術が提案されている（特許文献２参照）。
【先行技術文献】
【特許文献】
【０００５】
【特許文献１】特開平８−１９２８１１号公報
【特許文献２】特開２０１４−２１３８６４号公報
【発明の概要】
【発明が解決しようとする課題】
【０００６】
しかしながら、特許文献１，２に記載される技術は、近年のユーザニーズに必ずしも応えているとは言い難く、ユーザによっては使い勝手がよいとは言えない場合があった。
具体的には、取引中に紙帯の種類（紙帯の印刷内容）を変えたいというユーザニーズがあるが、特許文献１，２に記載される技術では紙帯を使い切る前に紙帯を交換することが想定されていなかった。
【０００７】
したがって、取引中に紙帯がなくならない場合以外は、紙帯の先端が装置本体内に位置しているので、紙幣を収容したトレイを引き出すことができなかった。取引中に紙帯を強制的に交換しようとすると、障害として検知されてしまい、また紙幣の先端部が破損してしまう問題があった。
【０００８】
本発明は、前記問題に鑑みてなされたものであり、取引中に結束帯を交換可能であることにより、従来よりも使い勝手がよい媒体整理装置を提供するものである。
【課題を解決するための手段】
【０００９】
前記課題を解決するため、本発明に係る媒体整理装置は、取引単位で媒体を分類および計数する媒体整理装置であって、複数の媒体を結束帯で結束して媒体束を作成する結束手段と、前記結束帯の交換指示を検出する入力制御手段と、取引中において、前記入力制御手段により前記結束帯の交換指示を検出した場合に、前記結束帯の停止位置を前記結束帯の交換が可能な位置に制御する結束帯制御手段と、を備えることを特徴とする。
【発明の効果】
【００１０】
本発明によれば、取引中に結束帯を交換可能であり、従来よりも使い勝手をよくすることができる。
【図面の簡単な説明】
【００１１】
【図１】本発明の実施形態に係る紙幣整理装置の概略断面図である。
【図２】紙幣結束部の概略断面図である。
【図３】作業者の指示による紙帯ロールの交換動作を示すフローチャートの例示である。
【図４】本発明の実施形態に係る紙幣整理装置が表示する表示画面の例示であり、（ａ）は計数中画面を示し、（ｂ）は取引完了待ち画面を示す。
【図５】本発明の実施形態に係る紙幣整理装置が表示する表示画面の例示であり、（ａ）は紙帯交換確認画面を示し、（ｂ）は紙帯交換中画面を示す。
【図６】本発明の実施形態に係る紙幣整理装置における紙帯の制御を説明するための図であり、（ａ）は取引完了待ち状態での紙帯の位置を示し、（ｂ）は取引を完了した状態での紙帯の位置を示し、（ｃ）は交換作業時の紙帯の位置を示す。
【発明を実施するための形態】
【００１２】
以下、図面を参照して、本発明の実施形態について詳細に説明する。実施形態では、媒体整理装置の一例として紙幣を整理する紙幣整理装置を例示して説明する。説明は本発明に関連することについてのみ行い、それ以外の構成や動作の説明は省略する。
【００１３】
各図は、本発明を十分に理解できる程度に、概略的に示してあるに過ぎない。よって、本発明は、図示例のみに限定されるものではない。また、参照する図面において、本発明を構成する部材の寸法は、説明を明確にするために誇張して表現されている。なお、各図において、共通する構成要素や同様な構成要素については、同一の符号を付し、それらの重複する説明を省略する。
【００１４】
≪実施形態に係る紙幣整理装置の構成≫
実施形態に係る紙幣整理装置の構成を図１に示す。紙幣整理装置１は、紙幣Ｂを分類および計数し、所定枚数毎に結束して整理するものである。紙幣整理装置１は、例えば金融機関の営業店、現金処理センタ、店舗等のバックヤードに設置され、金融機関の職員等（以下では「作業者」と呼ぶ）の操作に従い、紙幣の整理を実行する。
【００１５】
紙幣整理装置１は、筐体２の内部に種々の機構が組み込まれており、制御部３がこれらの機構を統括制御する。制御部３は、図示しないＣＰＵ（Central Processing Unit）を中心に構成されており、図示しないＲＯＭやフラッシュメモリ等から所定のプログラムを読み出して実行することにより、紙幣整理装置１を制御する。なお、制御部３は、「入力制御手段」および「表示制御手段」の一例である。
【００１６】
筐体２の上部後方には、操作表示部４が設置されている。操作表示部４は、例えば各種画面を表示するＬＣＤ（Liquid Crystal Display）と、作業者の入力操作を受け付けるタッチパネルとが一体化されたタッチディスプレイである。操作表示部４は、制御部３の制御に従って、各種の操作画面、計数結果、紙幣整理装置１の状態を示すメッセージなどを表示する。また、操作表示部４は、作業者による紙幣整理装置１に対する各種の入力操作（例えば、動作モードの指定、計数すべき紙幣Ｂの金種、集積順序等）を受け付け、その入力内容を制御部３へ通知する。
【００１７】
筐体２の前面上方には、紙幣Ｂを取り込む紙幣取込部５が設けられている。作業者により紙幣Ｂが紙幣取込部５に載置された状態で操作ボタン６が操作されると、紙幣取込部５は、載置された紙幣Ｂを１枚ずつ分離して筐体２の内部へ取り込む。内部に取り込まれた紙幣Ｂは、筐体２の内部に収容される種々の機構に搬送部７によって搬送される。同時に結束制御部２０は、図６（ｂ）に示すセット位置から図６（ａ）に示す頭出し位置まで紙帯Ｐを送り出す。
【００１８】
搬送部７は、搬送ベルト、搬送ローラ、紙幣ガイド、切替ブレード等の組み合わせからなり、紙幣Ｂが通過する空間である搬送路を有する。搬送部７は、制御部３の制御に基づき、この搬送路に沿って紙幣Ｂを各部へ搬送する。
【００１９】
筐体２内に取り込まれた紙幣Ｂは、鑑別部８に搬送される。鑑別部８は、その内部で紙幣Ｂを搬送しながら紙幣Ｂの金種、真偽、表裏及び損傷の程度等を鑑別し、その鑑別結果を制御部３へ通知する。制御部３は、取得した鑑別結果に基づいて、紙幣Ｂの搬送先を決定すると共に、紙幣Ｂを計数する。紙幣Ｂの主な搬送先としては、主にリジェクトポケット９、外部集積部１０および一時集積部１１が存在する。
【００２０】
リジェクトポケット９は、筐体２の上部に一部を露出させるよう設置されている。リジェクトポケット９には、金種を特定できなかった紙幣Ｂや搬送異常を検出したことにより異常と判別した紙幣Ｂが搬送され、集積される。
【００２１】
外部集積部１０は、筐体２の上部であって操作表示部４とリジェクトポケット９との間に設置されている。ここでの外部集積部１０は、前後方向に並んで設けられた二つのオープンポケット１０Ａ，１０Ｂからなり、各オープンポケット１０Ａ，１０Ｂは筐体２の上部に一部を露出させている。外部集積部１０には、正常と判別されたものの結束処理の対象外となる紙幣Ｂが搬送され、集積される。結束処理の対象となる紙幣Ｂの種類は、操作表示部４を介して作業者によって設定される。
【００２２】
一時集積部１１は、筐体２内の前部であって紙幣取込部５の下方に設置されている。ここでの一時集積部１１は、上下方向に並んで設けられた五つの集積庫１１Ａ，１１Ｂ，１１Ｃ，１１Ｄ，１１Ｅ（以降では「集積庫１１Ａ〜１１Ｅ」と表記する場合がある）からなる。一時集積部１１には、正常と判別され、且つ結束処理の対象となる紙幣Ｂが搬送され、集積される。例えば、集積庫１１Ａ〜１１Ｅごとに金種等の集積条件が操作表示部４を介して作業者によって予め設定されており、金種等の集積条件により分類された紙幣Ｂが集積庫１１Ａ〜１１Ｅのいずれかに搬送され、集積される。
【００２３】
一時集積部１１に搬送される紙幣Ｂは、表裏反転部１２を通過する。表裏反転部１２は、鑑別部８における判別結果に基づいて紙幣Ｂの表裏を反転させることにより、全ての紙幣Ｂの表裏を統一する機構である。統一する紙幣Ｂの「表」又は「裏」は、操作表示部４を介して作業者によって設定される。表裏反転部１２には、紙幣Ｂの表裏を反転させない表ルート１２Ａと、紙幣Ｂの表裏を反転させる裏ルート１２Ｂとが存在する。
【００２４】
集積庫１１Ａ〜１１Ｅに集積された紙幣Ｂの枚数が予め設定された結束単位（例えば１００枚）に到達した場合に、移送部１３は紙幣Ｂの束（以降では「紙幣束ＢＴ」と呼ぶ場合がある）を紙幣結束部１４に移送する。移送部１３は、一時集積部１１の後方に配置されており、上下方向および前後方向に移動可能である。
【００２５】
具体的には、制御部３は、集積庫１１Ａ〜１１Ｅそれぞれについて集積された紙幣Ｂの枚数を計数しており、この枚数が予め設定された結束単位に到達すると、移送部１３に紙幣束ＢＴの移送を指示する。移送部１３は、集積庫１１Ａ〜１１Ｅの紙幣束ＢＴを後方へ取り出し、さらに下方へ移動させることにより、一時集積部１１の下方に配置された紙幣結束部１４に受け渡す。
【００２６】
紙幣結束部１４は、移送部１３により移送されてきた紙幣束ＢＴを帯状の結束帯によって結束（施封）し、結束した後の結束済み紙幣束ＢＵを放出口から外部に放出する。紙幣結束部１４の詳細は後述する。なお、紙幣結束部１４は、「結束手段」の一例である。
【００２７】
このように、紙幣整理装置１は、紙幣取込部５に載置された紙幣Ｂを１枚ずつ取り込み、金種等に応じて分類した上で１００枚等の結束単位ごとに結束することで結束済み紙幣束ＢＵを順次生成する。
【００２８】
次に、図２を参照して、紙幣結束部１４について説明する。図２は、紙幣結束部１４の概略断面図である。
紙幣結束部１４は、結束制御部２０により全体の動作が制御される。この結束制御部２０は、図示しないＣＰＵを中心に構成されており、図示しないＲＯＭやフラッシュメモリ等から所定のプログラムを読み出して実行することにより、紙幣結束部１４を制御する。なお、結束制御部２０は、「結束帯制御手段」の一例である。
【００２９】
紙幣結束部１４の上部には、紙幣束ＢＴを搬送する搬送部２１が設置されている。搬送部２１は、上側搬送部２１Ａ及び下側搬送部２１Ｂにより構成されており、その間に紙幣束ＢＴを搬送する搬送路Ｗが形成されている。
【００３０】
上側搬送部２１Ａは、一直線上に離散配置された複数のローラの周囲にベルトが巻き付けられた構成となっている。上側搬送部２１Ａは、図示しないアクチュエータからローラに駆動力が伝達されることによりベルトを走行させる。また上側搬送部２１Ａは、前端側のローラを支点として、後端側を上方へ回動させる（すなわち持ち上げる）ことにより、搬送路Ｗの間隔を部分的に拡大する。
【００３１】
下側搬送部２１Ｂは、上側搬送部２１Ａと同様に、一直線上に離散配置された複数のローラの周囲にベルトが巻き付けられている。下側搬送部２１Ｂは、上側搬送部２１Ａと同様、図示しないアクチュエータからローラに駆動力が伝達されることにより、ベルトを走行させる。なお、下側搬送部２１Ｂは、上側搬送部２１Ａと異なり、紙幣結束部１４内における位置が固定されている。
【００３２】
搬送部２１は、かかる構成により、後方の移送部１３（図１参照）から供給される紙幣束ＢＴを、上側搬送部２１Ａ及び下側搬送部２１Ｂの間に挟み、短手方向を進行方向として搬送路Ｗに沿って搬送する。
【００３３】
紙幣結束部１４の下部には、紙帯Ｐ（結束帯）が巻回された紙帯ロールＰＴが配置されている。紙帯Ｐは、樹脂が染み込んだ帯状の紙であり、その幅が紙幣Ｂにおける長辺の長さよりも十分に短くなっている。紙帯ロールＰＴは、径方向が水平方向（軸方向が鉛直方向）になるように寝かせた状態で紙帯トレイ２２内に配置されている。紙帯トレイ２２は、前後方向に摺動可能であり、紙帯Ｐが紙帯トレイ２２内に巻き取られた状態で紙帯トレイ２２を前方に引き出すことにより作業者は紙帯ロールＰＴを交換する。紙帯ロールＰＴは、紙帯Ｐを使い切った場合や作業者により交換が指示された場合に交換される。紙帯ロールＰＴの交換方法の詳細は後述する。なお、紙帯トレイ２２は、「結束帯収容部」の一例である。
【００３４】
紙帯ロールＰＴから前方に引き出された紙帯Ｐは、図示しないガイドにより上方に導かれた後、紙帯ロールＰＴの前方斜め上に位置するローラ２３Ａへと供給されて、このローラ２３Ａにより後方に折り返され、ローラ２３Ａの後方に位置するローラ２３Ｂへと供給される。続いて紙帯Ｐは、ローラ２３Ｂにより後方斜め上に折り曲げられ、ローラ２３Ｂの後方斜め上に位置するローラ２３Ｃ，２３Ｄを経由して、ローラ２３Ｅに供給される。
【００３５】
ローラ２３Ｅに供給された紙帯Ｐは、このローラ２３Ｅにより前方斜め上に折り曲げられ、ローラ２３Ｅの前方斜め上に位置する保持部２４へと供給される。保持部２４は、左右方向を中心軸にして回転可能であり、紙帯Ｐの先端近傍を保持した状態で紙幣束ＢＴを周回することで紙帯Ｐを紙幣束ＢＴに巻き付ける。なお、保持部２４は、「結束機構」の一例である。
【００３６】
紙幣結束部１４のローラ２３Ａと２３Ｂとの間には、印字部２５が設置されている。印字部２５は、結束制御部２０の制御に基づき、紙帯Ｐの上面に金融機関の名称及び日付等を表す文字や記号等を印字する。
また、ローラ２３Ｂと２３Ｃとの間には、紙帯タイミングセンサ２６が設置されている。紙帯タイミングセンサ２６は、紙帯Ｐを検出して結束制御部２０に検出情報を通知する。
また、ローラ２３Ｃと２３Ｄとの間には、紙帯Ｐを切断するカッタ２７が設置されている。カッタ２７は、結束制御部２０の制御に基づき、所定のタイミングで紙帯Ｐを切断する。
【００３７】
保持部２４の下方には、ヒータ２８が設置されている。ヒータ２８は、供給される電流に応じて発熱する発熱素子を内蔵しており、結束制御部２０の制御に基づいてこの発熱素子を発熱させて温度を高める。
ヒータ２８は、搬送路Ｗから離れた退避位置ＰＲと、搬送路Ｗの近傍となる溶着位置ＰＭとの間を移動経路Ｖに沿って移動する。また、ヒータ２８は、搬送路Ｗに沿うように前後方向へも移動可能である。ヒータ２８の移動は、ヒータ移動部２９によって行われる。ヒータ２８は、紙幣束ＢＴに紙帯Ｐが巻き付けられた状態で紙帯Ｐの重複部分を加熱し、紙帯Ｐ同士を溶着する。これにより、結束済み紙幣束ＢＵが完成する。
【００３８】
≪実施形態に係る紙幣整理装置の動作≫
＜作業者の指示による紙帯ロールの交換動作＞
次に、図３を参照して、作業者の指示による紙帯ロールＰＴの交換動作について説明する。図３は、作業者の指示による紙帯ロールＰＴの交換動作を示すフローチャートの例示である。
【００３９】
作業者は、紙幣取込部５に紙幣Ｂを投入した後（Ｓ０）、操作ボタン６を操作して計数の開始を指示し、紙幣整理装置１は計数処理を開始する（Ｓ１）。紙幣整理装置１は投入された紙幣Ｂを鑑別部８に順次搬送し、紙幣Ｂの計数及び分類を行う（Ｓ２）。
【００４０】
具体的には、制御部３は、鑑別部８の鑑別結果に基づき搬送部７を制御して、鑑別結果が金種不明もしくは受付不能である場合に、紙幣Ｂをリジェクトポケット９へ搬送する。また、制御部３は、鑑別結果がリジェクトポケット９への搬送対象外であり、且つ、結束対象と定められている鑑別種別に該当しない場合に、紙幣Ｂをオープンポケット１０Ａ，１０Ｂへ搬送する。また、制御部３は、鑑別結果がリジェクトポケット９への搬送対象外であり、且つ、結束対象と定められている鑑別種別に該当する場合に、紙幣Ｂを表裏反転部１２を経由させて、鑑別結果に対応する集積庫１１Ａ〜１１Ｅへ搬送する。
【００４１】
この際に、制御部３は、集積庫１１Ａ〜１１Ｅに集積されている紙幣Ｂの枚数を記憶し、さらに、集積された紙幣Ｂの計数結果を操作表示部４に逐次表示する。図４（ａ）に、操作表示部４に表示される計数中画面８０Ａを例示する。
計数中画面８０Ａは、計数結果表示領域８１と、メッセージ表示領域８２とを含んで構成されている。計数結果表示領域８１には、紙幣Ｂの種別ごと（例えば、一万円紙幣、五千円紙幣等）の合計金額が表示される。メッセージ表示領域８２には、処理の状況や作業者へのメッセージが表示され、ここでは「計数中」である旨が示されている。なお、メッセージ表示領域８２には、処理の状況や作業者へのメッセージを示すコードを表示してもよい。
【００４２】
また、Ｓ２の紙幣Ｂの計数及び分類処理において、制御部３は、集積庫１１Ａ〜１１Ｅに集積されている紙幣Ｂの枚数が結束枚数に達していることを認識した場合に、移送部１３を制御して、集積庫１１Ａ〜１１Ｅに集積されている紙幣束ＢＴを紙幣結束部１４に移送させる。そして、紙幣結束部１４は、紙帯Ｐを用いて移送された紙幣束ＢＴを結束し、結束済み紙幣束ＢＵを作成する。結束制御部２０は、結束処理時に保持部２４（図２参照）まで紙帯Ｐを前進移動させて、保持部２４に紙帯Ｐを供給する。
【００４３】
次に、制御部３は、紙幣取込部５に設けられたセンサ（図示省略）によって、紙幣取込部５に投入されたすべての紙幣Ｂについて処理が完了したことを検知した場合に、操作表示部４に取引完了待ち画面８０Ｂ（図４（ｂ）参照）を表示する（Ｓ３）。
取引完了待ち画面８０Ｂは、計数結果表示領域８１と、メッセージ表示領域８２と、紙帯交換ボタン８３とを含んで構成されている。メッセージ表示領域８２には、ここでは取引の「完了待ち」である旨が示されている。紙帯交換ボタン８３は、一つの取引の中で紙帯Ｐを交換する場合に押下されるものである。ここで、本実施形態に係る紙幣整理装置１の取引単位は、計数を行う単位であり、作業者が複数回に分けて紙幣Ｂを紙幣取込部５に投入した場合でもこれらをまとめて一つの取引とすることができる。つまり、制御部３は、取引中の操作表示部４に紙帯Ｐの交換を指定する紙帯交換ボタン８３を表示する。
【００４４】
次に、制御部３は、完了待ち画面８０Ｂを見た作業者による指示内容を判定する（Ｓ４）。ここでは、作業者による指示として、「完了指示」、「紙帯交換指示」の何れかが入力される。ここで、操作表示部４に完了待ち画面８０Ｂを表示した状態においては、結束制御部２０は、図６（ａ）に示すように、紙帯Ｐの先端を紙帯タイミングセンサ２６の手前の位置（頭出し位置）で待機させておく。
【００４５】
Ｓ４の状態において、作業者は、手元に計数対象の紙幣Ｂが残っていたり、リジェクトポケット９に集積された紙幣Ｂを再度計数する場合に、対象の紙幣Ｂを紙幣取込部５に投入する。制御部３は、処理をＳ０に戻して一つの取引における紙幣Ｂの計数及び分類を続ける。
【００４６】
また、作業者は、取引を完了する場合に、操作ボタン６を操作して完了指示を入力する。これにより、制御部３は、一つの取引を完了し、計数した紙幣Ｂの枚数（合計金額）を確定する（Ｓ５）。結束制御部２０は、取引の完了に伴い、図６（ｂ）に示すように、紙帯Ｐの先端を印字部２５の手前の位置（セット位置）まで後退させる。セット位置は、紙帯トレイ２２内のローラ２３Ａを過ぎた位置であるのがよい。
【００４７】
また、作業者は、紙帯Ｐを交換する場合に、完了待ち画面８０Ｂの紙帯交換ボタン８３を押下する。これにより、制御部３は、操作表示部４に紙帯交換確認画面８０Ｃ（図５（ａ）参照）を表示する（Ｓ６）。
紙帯交換確認画面８０Ｃは、計数結果表示領域８１と、メッセージ表示領域８２とを含んで構成されている。メッセージ表示領域８２には、ここでは紙帯Ｐを交換することを確認するメッセージである「紙帯交換をしますか？」と共に、「はいボタン」及び「いいえボタン」が表示される。つまり、制御部３は、紙帯交換ボタン８３の選択を検出した場合に、紙帯Ｐの交換を確認するメッセージを取引中の操作表示部４に表示する。
【００４８】
次に、制御部３は、作業者により「はいボタン」が選択されたか否かを判定する（Ｓ７）。作業者により「はいボタン」が選択された場合に、制御部３は処理をＳ８に進め、一方、作業者により「いいえボタン」が選択された場合に、制御部３は処理をＳ４に戻す。
【００４９】
作業者により紙帯交換確認画面８０Ｃの「はいボタン」が選択された場合に、結束制御部２０は、紙帯Ｐの巻き取り処理を行い（Ｓ８）、図６（ｃ）に示すように、紙帯Ｐの先端を紙帯ロールＰＴの近く（巻取り位置）まで後退させる。巻取り位置は、作業者の交換作業を容易にするために、紙帯トレイ２２内のローラ２３Ａの手前の位置であるのがよい。
【００５０】
また、作業者により紙帯交換確認画面８０Ｃの「はいボタン」が選択された場合に、制御部３は、操作表示部４に紙帯交換中画面８０Ｄ（図５（ｂ）参照）を表示する（Ｓ８）。
紙帯交換中画面８０Ｄは、計数結果表示領域８１と、メッセージ表示領域８２と、紙帯交換表示領域８４とを含んで構成されている。メッセージ表示領域８２には、ここでは作業者に紙帯Ｐの交換を促すメッセージである「紙帯を交換してください（紙帯は推奨品を使用いただきますようお願いいたします）」が表示される。紙帯交換表示領域８４は、紙帯トレイ２２内に紙帯ロールＰＴが収容されていないことを示す領域であり、例えば作業者によって紙帯ロールＰＴの交換が行われている場合に表示させてもよい。
【００５１】
紙帯交換中画面８０Ｄを見た作業者は、紙帯トレイ２２を前方に引き出して紙帯Ｐ（紙帯ロールＰＴ）の交換を行う。作業者は、紙帯トレイ２２に新たな紙帯Ｐ（紙帯ロールＰＴ）を取り付ける際に、交換後の紙帯Ｐの先端を手動でセット位置（図６（ｂ）参照）まで送り出してから紙帯トレイ２２を筐体２にセットする。
【００５２】
結束制御部２０は、新たな紙帯Ｐ（紙帯ロールＰＴ）を収容した紙帯トレイ２２が作業者によってセットされると、図６（ｂ）に示すセット位置から図６（ａ）に示す頭出し位置まで紙帯Ｐを送り出し、頭出してから再び図６（ｂ）に示すセット位置に戻す。そして、制御部３は、処理をＳ３に戻して操作表示部４に取引完了待ち画面８０Ｂ（図４（ｂ）参照）を表示する。これにより、作業者は、取引の継続ができるようになる。
【００５３】
以上のように、実施形態に係る紙幣整理装置１は、取引完了待ち画面８０Ｂ（図４（ｂ）参照）に紙帯交換ボタン８３を表示する。そして、作業者によって紙帯交換ボタン８３が押下されると、紙幣整理装置１は、紙帯Ｐ（紙帯ロールＰＴ）の交換の意思を確認した後で紙帯Ｐを巻取り位置（図６（ｃ）参照）まで巻き取る。これにより、紙幣整理装置１は、一つの取引が継続中且つ紙帯Ｐを使い切っていなくても、紙帯Ｐを破損することなく（障害にすることなく）交換することができる。
【００５４】
なお、従来においては、取引完了待ち画面８０Ｂ（図４（ｂ）参照）に紙帯交換ボタン８３を表示していなかったので、一つの取引が継続中の紙帯Ｐの位置は、頭出し位置（図６（ａ）参照）であった。その為、一つの取引が継続中且つ紙帯Ｐを使い切っていない状態で紙帯Ｐの交換を強制的に行った場合、紙帯Ｐを傷つけてしまう。
【００５５】
以上、本発明の実施形態について説明したが、本発明はこれに限定されるものではなく、特許請求の範囲の趣旨を変えない範囲で実施することができる。
【００５６】
例えば、実施形態では、媒体整理装置の一例として紙幣Ｂを整理する紙幣整理装置１を例示して説明していた。しかしながら、本発明が適用される媒体は紙幣Ｂに限定されるものではなく、媒体を整理して施封するあらゆる装置で用いることができる。
【符号の説明】
【００５７】
１      紙幣整理装置（媒体整理装置）
２      筐体
３      制御部（入力制御手段、表示制御手段）
４      操作表示部
５      紙幣取込部
６      操作ボタン
７      搬送部
８      鑑別部
９      リジェクトポケット
１０    外部集積部
１１    一時集積部
１２    表裏反転部
１３    移送部
１４    紙幣結束部（結束手段）
２０    結束制御部（結束帯制御手段）
２１    搬送部
２２    紙帯トレイ（結束帯収容部）
２３Ａ，２３Ｂ，２３Ｃ，２３Ｄ，２３Ｅ  ローラ
２４    保持部（結束機構）
８０Ｂ  取引完了待ち画面（取引中画面）
８０Ｃ  紙帯交換確認画面（取引中画面）
８０Ｄ  紙帯交換中画面
Ｂ      紙幣（媒体）
ＢＴ    紙幣束（媒体束）
Ｐ      紙帯（結束帯）
ＰＴ    紙帯ロール
【図１】
2018177230.tif 000003
【図２】
2018177230.tif 000004
【図３】
2018177230.tif 000005
【図４】
2018177230.tif 000006
【図５】
2018177230.tif 000007
【図６】
2018177230.tif 000008